(57)【要約】【課題】外壁全体の断熱性能を向上できる外壁改装構造を提供すること。【解決手段】外壁改装構造は、既設外壁１の屋外側に、新設外装材３０を配置する。既設外壁１の開口に配置された既設枠２の開口内周側に、新設枠４を配置する。新設枠４は、少なくとも一部が断熱部材で構成される。既設外壁１と新設外装材３０との間に断熱層８０を設ける。既設枠２は、新設枠４の断熱部材および断熱層８０によって屋外に露出しないように覆われている。【選択図】図１
2018031183.tif 000002
【特許請求の範囲】
【請求項１】
建物の既設外壁の屋外側に、新設外装材が配置され、
前記既設外壁の開口に配置された既設枠の開口内周側に、新設枠が配置され、
前記新設枠は少なくとも一部が断熱部材で構成され、
前記既設外壁と前記新設外装材との間には断熱層が設けられ、
前記既設枠は、前記新設枠の前記断熱部材と前記断熱層とによって屋外に露出しないように覆われている
ことを特徴とする外壁改装構造。
【請求項２】
請求項１に記載の外壁改装構造において、
前記既設枠の開口内周側には、前記新設枠と、新設框および面材を框組みした新設障子、または、嵌め殺し窓用の面材とが配置され、
前記面材は複数のガラスを備えて構成され、前記複数のガラスのうち少なくとも１枚のガラスは、見込み方向において前記断熱層と重なる位置に配置されている
ことを特徴とする外壁改装構造。
【請求項３】
請求項１または請求項２に記載の外壁改装構造において、
前記新設枠の屋外側端部は、少なくとも前記新設外装材の屋内面よりも屋外側に位置し、
前記新設外装材の屋外面から前記既設枠の屋内端部までの見込み寸法は、前記新設外装材の屋外面から前記新設枠の屋内端部までの見込み寸法よりも小さい
ことを特徴とする外壁改装構造。
【請求項４】
請求項１から請求項３のいずれか一項に記載の外壁改装構造において、
前記新設枠の外周面は、見込み方向に沿った平面で構成され、
前記新設枠の屋内側端部には、屋内方向に向かって取付片が突出され、
前記新設枠は、前記取付片から建物の躯体にねじ込まれるネジによって、屋内外方向の位置を調整可能に取り付けられている
ことを特徴とする外壁改装構造。
【発明の詳細な説明】
【技術分野】
【０００１】
本発明は、断熱性能を向上させた外壁改装構造に関する。
【背景技術】
【０００２】
近年、断熱性能を高め、冷暖房などに利用される消費エネルギーを少なくする省エネ住宅が求められており、特に、単板ガラス窓のような断熱性能の低い窓のリフォームが広がっている。
窓の断熱性能を高めるリフォームとしては、既設窓の内側に新設の窓を設置して二重窓とする改装窓（例えば特許文献１）が一般的である。この二重窓は、既設窓枠および既設障子はそのまま残し、新設の内窓を取り付けるだけでよいため、改装作業が容易に行える点や、新設の内窓の窓枠および障子の框を樹脂製とすることで断熱性能を向上できる利点がある。一方で、窓を開く場合に、新設内窓と既設外窓とで２回の開閉操作が必要である。このため、開閉頻度が多い窓の改装には適さないという課題があった。
【０００３】
一方、老朽化した窓を改装するために、既設窓枠を残し、新設窓枠を既設窓枠の内周面を覆うように配置するカバー工法の改装窓（例えば特許文献２）も知られている。このような改装窓は、通常、アルミ製の新設窓枠を用いており、断熱性能の向上の点では課題があった。
このため、本出願人は、既設窓枠の内周側に配置する新設窓枠を樹脂製とし、新設の障子の框を樹脂製とし、さらに複層ガラスやトリプルガラス等を用いることで、開閉操作が容易であり、かつ、断熱性能を向上した改装窓を提案している。
【先行技術文献】
【特許文献】
【０００４】
【特許文献１】特開２０１１−２３１５０６号公報
【特許文献２】特開２０１５−１２４５４４号公報
【発明の概要】
【発明が解決しようとする課題】
【０００５】
ところで、前述した各改装窓は、窓部分を改装するだけであり、外壁および既設枠はそのまま残していた。このため、既存の外壁や既設枠を介した熱流出が改善されておらず、住宅の断熱性能を更に向上させることが難しいという課題があった。また、既設枠の周囲の熱流量が多いことから、既設枠周囲の壁体内での結露の発生を抑制することが難しいという課題があった。
このため、改装によって、窓を含む外壁全体の断熱性能を向上でき、既設枠周囲での結露の発生を抑制できる外壁改装構造が求められていた。
【０００６】
本発明の目的は、外壁全体の断熱性能を向上でき、既設枠周囲での結露の発生を抑制できる外壁改装構造を提供することにある。
【課題を解決するための手段】
【０００７】
本発明の外壁改装構造は、建物の既設外壁の屋外側に、新設外装材が配置され、前記既設外壁の開口に配置された既設枠の開口内周側に、新設枠が配置され、前記新設枠は少なくとも一部が断熱部材で構成され、前記既設外壁と前記新設外装材との間には断熱層が設けられ、前記既設枠は、前記新設枠の前記断熱部材と前記断熱層とによって屋外に露出しないように覆われていることを特徴とする。
【０００８】
本発明によれば、既設外壁の屋外側に新設外装材を配置し、この新設外装材および既設外壁間に断熱材などで構成される断熱層を設けたので、外壁部分の断熱性能を向上できる。また、既設枠の開口内周側に配置された新設枠を、少なくとも一部が断熱部材で構成された枠としているので、新設枠自体の断熱性能も向上できる。さらに、新設枠の断熱部材と外壁部分の断熱層とによって、既設枠が屋外に露出しないように覆っているので、既設枠を介した熱流出を低減できる。したがって、外壁全体の断熱性能を向上でき、既設枠周囲での結露の発生を抑制できる外壁改装構造を提供できる。
なお、新設枠の断熱部材としては、アルミ等の金属材に比べて断熱性能が高い樹脂製や木製の部材が利用できる。また、少なくとも一部が断熱部材で構成された新設枠とは、新設枠全体が樹脂製や木製の枠でもよいし、樹脂製や木製の断熱部材とアルミ等の金属部材とを組み合わせた複合枠でもよい。
【０００９】
本発明の外壁改装構造において、前記既設枠の開口内周側には、前記新設枠と、新設框および面材を框組みした新設障子、または、嵌め殺し窓用の面材とが配置され、前記面材は複数のガラスを備えて構成され、前記複数のガラスのうち少なくとも１枚のガラスは、見込み方向において前記断熱層と重なる位置に配置されていることが好ましい。
【００１０】
本発明によれば、新設枠内に配置される新設障子や嵌め殺し窓の面材は、複層ガラスやトリプルガラスのように、複数のガラスを備えて構成されているため、面材部分の断熱性能を向上できる。
また、複数のガラスのうち、少なくとも１枚のガラスは、見込み方向において前記断熱層と重なる位置に配置されているので、前記断熱層で構成される断熱ラインの延長線上に、前記複数のガラスによって構成される面材の断熱ラインが位置する。
そして、新設枠や新設框において、前記断熱層および面材間に配置される部分を、断熱性能が高い樹脂製や木製等の断熱部材で構成することで、前記断熱層と、新設枠や新設框の断熱部材と、面材とによって、新設外装材の壁面に対してほぼ平行な断熱ラインを構成でき、断熱ラインが壁面に対して斜めになった場合に比べて熱流量を低減できる。すなわち、面材の位置が断熱層に比べて屋内側にずれている場合、断熱層から面材の位置まで断熱ラインが斜めに形成される。この場合、新設外装材と新設枠との接合部分、つまり既設枠などが配置された部分は、屋外面側だけでなく新設枠が配置された開口内周側からも熱流出が生じやすくなり、熱流量が増加して断熱性能が低下する。これに対し、本発明によれば、断熱ラインを既設枠の屋外側に形成でき、既設枠の開口内周側の温度低下を抑制できるため、既設枠の開口内周側での熱流量を低下でき、断熱性能を向上でき、壁体内での結露の抑制にも効果的である。
【００１１】
本発明の外壁改装構造において、前記新設枠の屋外側端部は、少なくとも前記新設外装材の屋内面よりも屋外側に位置し、前記新設外装材の屋外面から前記既設枠の屋内端部までの見込み寸法は、前記新設外装材の屋外面から前記新設枠の屋内端部までの見込み寸法よりも小さいことが好ましい。
【００１２】
本発明によれば、新設枠の屋外側端部が新設外装材の屋外面よりも屋外側に位置しているので、新設枠と新設外装材とを対向させて配置でき、これらの間にシーリング材などを充填してシールすることができる。このため、新設枠を、新設外装材の見切り材として利用でき、一般的な納まり構造にできる。
また、新設外装材の屋外面から既設枠の屋内端部までの見込み寸法を、新設外装材の屋外面から新設枠の屋内端部までの見込み寸法よりも小さくしたので、既設枠の内周面の全体を新設枠で覆うことができ、断熱性能および意匠性を向上できる。
【００１３】
本発明の外壁改装構造において、前記新設枠の外周面は、見込み方向に沿った平面で構成され、前記新設枠の屋内側端部には、屋内方向に向かって取付片が突出され、前記新設枠は、前記取付片から建物の躯体にねじ込まれるネジによって、屋内外方向の位置を調整可能に取り付けられていることが好ましい。
【００１４】
本発明によれば、新設枠の外周面が見込み方向に沿った平面で形成されているので、新設外装材の厚さ寸法等に応じて、新設枠の屋内外方向の位置を自由に設定できる。新設枠の外周面に釘ヒレが突設されている場合は、新設外装材の厚さ寸法などに応じて、釘ヒレの位置等が異なる複数種類の新設枠を用意する必要があるが、本発明では、新設枠に釘ヒレが設けられていないので、新設枠の種類を少なくできる。
また、新設枠の屋内側端部から屋内方向に向かって突出された取付片から建物の躯体にネジをねじ込んで新設枠を固定しているので、開口内周側から新設枠の取付作業を行うことができ、改装作業を容易に行うことができる。
【発明の効果】
【００１５】
本発明の外壁改装構造によれば、外壁全体の断熱性能を向上でき、既設枠周囲での結露の発生を抑制できる。
【図面の簡単な説明】
【００１６】
【図１】本発明の第１実施形態の外壁改装構造を示す縦断面図。
【図２】第１実施形態の外壁改装構造を示す横断面図。
【図３】第１実施形態の外壁改装構造の要部を示す斜視図。
【図４】第１実施形態の外壁改装構造の要部を示す横断面図。
【図５】本発明の第２実施形態の外壁改装構造を示す縦断面図。
【図６】第２実施形態の外壁改装構造を示す横断面図。
【図７】第２実施形態の外壁改装構造の要部を示す斜視図。
【図８】本発明の第１変形例の要部を示す縦断面図。
【図９】本発明の第２変形例の要部を示す縦断面図。
【発明を実施するための形態】
【００１７】
［第１実施形態］
以下、本発明の第１実施形態を図面に基づいて説明する。
本実施形態は、図１〜３に示すように、建物の既設外壁１および既設枠２を残し、新設外壁３、新設枠４、新設障子５を新たに取り付けて改装した外壁改装構造である。
なお、以下の説明において、既設枠２および新設枠４を屋内側から見た際に、上下（垂直）となる方向を上下方向、左右となる方向を左右方向、屋内外方向を見込み方向として説明する。また、既設枠２および新設枠４は矩形状に枠組みされており、枠の内周側に面した面を内周面、外周側に面した面を外周面として説明する。
また、既設枠２、新設枠４、新設障子５の枠材や框材、ガラス等の断面図では、図面を見やすくするためにハッチングを省略している。
【００１８】
建物は、既設外壁１や既設枠２を支持する躯体１０を備える。躯体１０は、例えば、適宜間隔で配置された柱や間柱と、柱や間柱間に掛け渡されて窓開口を区画する窓台、まぐさ等を備える。
【００１９】
［既設外壁および既設枠］
躯体１０には、既設外壁１と、既設枠２とが固定されている。
既設枠２は、既設上枠２１と、既設下枠２２と、左右の既設縦枠２３、２４とを枠組みして構成されている。各枠２１，２２，２３，２４の断面形状は、既設窓の種類によって異なり、本実施形態の既設枠２は、引違い窓用である。
【００２０】
これらの各枠２１，２２，２３，２４は、躯体の屋外面に当接する釘ヒレ２１Ａ，２２Ａ，２３Ａ，２４Ａを備えており、この釘ヒレ２１Ａ，２２Ａ，２３Ａ，２４Ａから躯体に釘を打ち込むことで、既設枠２は躯体１０に取り付けられている。
既設枠２の屋内側には、既設額縁２６が窓開口の内周面に沿って取り付けられている。既設額縁２６は、躯体１０の屋内側を覆う内装材２７の端面が当接されている。
既設枠２の外周面には、既設外壁１が配置され、既設外壁１の端面と既設枠２とは、シーリング材２８で塞がれて防水処理されている。
【００２１】
［新設外壁］
既設外壁１の屋外側には、新設外壁３が改装によって設けられている。新設外壁３は、既設外壁１の屋外側に配置された新設断熱材３１と、新設断熱材３１の屋外側に配置された胴縁（本実施形態では縦胴縁）３２と、胴縁３２の屋外側に配置された新設外装材３０とを備えている。
新設断熱材３１は、ポリスチレン樹脂やフェノール樹脂等を発泡させた断熱材など、外張り断熱工法で用いられる一般的な断熱材である。
新設外装材３０は、窯業系、コンクリート系、ＡＬＣ（軽量気泡コンクリート）系、金属系などの様々な材質で構成される外装材である。
【００２２】
［新設窓］
既設枠２の開口内周面には新設窓が取り付けられている。本実施形態の新設窓は、ＦＩＸ窓と、縦すべり出し窓との連窓である。新設窓は、新設枠４および新設障子５を備える。
新設枠４は、新設上枠４１、新設下枠４２、新設縦枠４３、４４、縦骨（中骨）４５を備えている。
ＦＩＸ窓は、新設上枠４１と、新設下枠４２と、新設縦枠４４と、縦骨４５とを枠組みして構成される窓枠内に、トリプルガラス４７からなる面材を組み込むことで構成される。トリプルガラス４７は、各枠４１、４２、４４、縦骨４５と、これらに取り付けられた押縁４６とで保持されている。
【００２３】
縦すべり出し窓は、新設上枠４１と、新設下枠４２と、新設縦枠４３と、縦骨４５とを枠組みして構成される窓枠内に、新設障子５を開閉可能に取り付けることで構成される。
新設障子５は、樹脂製の上框５１、下框５２、左右の縦框５３、５４とを枠組みして構成される新設框と、この新設框内に組み込まれたトリプルガラス５７からなる面材とで構成されている。トリプルガラス５７は、各框５１，５２，５３，５４と、これらに取り付けられた押縁５６とで保持されている。
新設窓は、新設枠４や、新設障子５の框５１，５２，５３，５４が樹脂製（合成樹脂製）であり、面材はトリプルガラス４７，５７で構成されているので、断熱性能の高い窓とされている。なお、本実施形態の各框５１，５２，５３，５４は、同一断面の樹脂製の押出形材で構成され、複数の中空部を備えて断熱性能を向上させている。
【００２４】
［新設枠］
新設上枠４１、新設下枠４２、新設縦枠４３、４４は、樹脂製の押出形材で構成されている。したがって、本実施形態では、新設枠４全体が断熱部材（樹脂部材）で構成されている。本実施形態では、各枠４１，４２，４３，４４は、同一断面形状の押出形材であるが、各枠の形状は窓の種類に応じて設定され、必ずしも同一断面形状のものに限らない。
また、各枠４１，４２，４３，４４は、見込み方向に沿って屋外側から屋内側に並んだ第１〜４中空部を備えており、枠自体の断熱性および剛性を向上させている。
第１中空部の屋外端面は、新設外装材３０の屋外面とほぼ同一平面上に配置されている。第２中空部は、第１中空部よりも見付け寸法が大きくされ、第１中空部よりも内周側に突出している。第２中空部の内周面には押縁４６が装着可能な係合溝が形成されている。
第３中空部は、第２中空部と同程度の見付け寸法であり、見込み寸法は既設枠２と同程度の寸法とされている。新設上枠４１、新設下枠４２の第３中空部には、新設障子５を開閉するためのすべり出しアームの固定用の金属プレートが配置されている。
第４中空部は、第３中空部と同程度の見付け寸法である。第４中空部の内周側には、ＦＩＸ窓のトリプルガラス４７の保持片や、新設障子５の戸当り部となる突出部４１Ａ，４２Ａ，４３Ａ，４４Ａが設けられている。
なお、縦骨４５は、各枠４１，４２，４３，４４の第２中空部から第４中空部に対応する３つの中空部（第２〜４中空部）を備えている。縦骨４５の第２中空部には押縁４６の係合溝が形成され、第３中空部には錠受け等の部品が取り付けられる金属プレート（チャンネル材）が配置され、第４中空部には左右方向に突出した２つの突出部４５Ａが形成されている。
【００２５】
新設上枠４１、新設下枠４２、新設縦枠４３、４４の外周面は、フラットな平面形状とされ、既設枠２の釘ヒレ２１Ａ，２２Ａ，２３Ａ，２４Ａに相当するヒレ部は設けられていない。
各枠４１，４２，４３，４４の屋内側端部には、屋内側に突出された取付片４１１、４２１、４３１、４４１が形成され、取付片４１１，４２１，４３１，４４１は、ネジ１５によって躯体１０に取り付けられている。したがって、ネジ１５は、新設枠４の見込み方向に対して直交する方向（各枠４１，４２，４３，４４の見付け方向）にねじ込まれている。
このように新設枠４は、釘ヒレが無く、ネジ１５を見付け方向にねじ込むことで躯体１０に取り付けられるため、屋内外方向（見込み方向）の位置を調整可能に躯体１０に取り付けることができる。本実施形態では、新設枠４の屋外面（第１中空部の端面）が、新設外装材３０の屋外面に略揃うように、新設枠４の位置が調整されている。
【００２６】
さらに、図４に示すように、新設外装材３０の屋外面から既設枠２の屋内側端縁までの見込み方法の長さ寸法Ｌ１は、新設外装材３０の屋外面から新設枠４の屋内側端縁までの見込み方法の長さ寸法Ｌ２よりも小さくなるように設定されている。このため、新設枠４は、既設枠２の内周面を覆っている。
なお、本実施形態では、新設外装材３０の屋外面は、新設枠４の屋外面と、同じ見込み方向の位置であるため、新設枠４（新設上枠４１、新設下枠４２、新設縦枠４３、４４）の見込み方向の長さ寸法も寸法Ｌ２である。
新設枠４の見込み方向の寸法Ｌ２は、各取付片４１１，４２１，４３１，４４１が既設枠２よりも屋内側に位置するように設定されている。つまり、取付片４１１，４２１，４３１，４４１の突出寸法は、寸法（Ｌ２−Ｌ１）以上とされている。このため、取付片４１１，４２１，４３１，４４１からねじ込まれるネジ１５は、既設枠２よりも屋内側の位置で、既設額縁２６等を介して躯体１０にねじ込まれている。
【００２７】
新設枠４の室内側には、図１，２に示すように、木製の新設額縁３６が既設額縁２６に沿って配置されている。新設額縁３６と内装材２７との間には、新設カバー材３８が掛け渡されている。新設カバー材３８は、既設額縁２６が屋内側に露出しないようにカバーしている。
【００２８】
［水切材］
図１，３に示すように、新設上枠４１の外周面（上面）には、アルミ押出形材などで構成された水切材６０が取り付けられている。このため、新設外装材３０、新設断熱材３１、胴縁３２の下端面と、新設上枠４１との間には、水切材６０を配置するためのスペースが確保されている。
水切材６０は、図３に示すように、新設上枠４１にネジやリベット等で固定される固定部６１と、固定部６１から上方に延出された立ち上がり部６２と、立ち上がり部６２の上端から新設上枠４１の屋外側まで延出され、屋外方向に向かうにしたがって下方に傾斜されて下り勾配が設定された傾斜部６３と、傾斜部６３の先端から下方に延出された水切部６４とを備えている。
【００２９】
新設上枠４１と水切部６４との間には、乾式シーリング材６５が取り付けられている。
傾斜部６３と新設外装材３０との間には、バックアップ材６６および湿式シーリング材６７が充填されている。バックアップ材６６および湿式シーリング材６７の一部には、水抜き穴を有する水抜き部品６８が配置されている。
さらに、水切材６０の傾斜部６３と、既設上枠２１や新設断熱材３１との間は、後述する水切用防水シート７５が掛け渡されており、新設外装材３０の裏面側（屋内面側）に浸入した水は、水切用防水シート７５から傾斜部６３上に流れ、水抜き部品６８を介して排水される。
なお、水抜き部品６８を設ける代わりに、湿式シーリング材６７およびバックアップ材６６に水抜き穴となる切欠部を設けて排水できるように構成してもよい。
【００３０】
［新設枠の固定構造］
本実施形態では、新設枠４の高さ寸法を、既設枠２の開口高さ寸法よりも小さく設計し、新設枠４を既設枠２内に容易に配置できるようにしている。このため、新設枠４を既設下枠２２上に設置した際に、新設上枠４１と既設枠２との間には所定の隙間が生じる。そこで、図１，３に示すように、新設上枠４１と、既設枠２との間には、前記隙間寸法に応じた厚さ寸法の調整部材（飼い木）４１５が配置されている。また、既設上枠２１の下面と、既設額縁２６の下面との間には段差があるため、調整部材４１５と既設額縁２６との間にも隙間が生じ、この隙間部分には調整部材４１６が配置されている。
【００３１】
新設下枠４２は、図１に示すように、既設下枠２２と新設断熱材３１との上面に当接するように配置されている。本実施形態の既設下枠２２は、引違い窓用であり、内レールに比べて外レールの位置が低い。このため、既設下枠２２には、新設下枠４２の下面に当接する支持ブラケット２２１が取り付けられている。支持ブラケット２２１は、高さ調整可能なように２つの部品で構成されている。この支持ブラケット２２１は、既設下枠２２の長手方向（既設枠２の左右方向）の全長と同程度の長さ寸法に形成して配置してもよいが、本実施形態では短尺のピース状に形成されて既設下枠２２の複数箇所に取り付けられている。この支持ブラケット２２１が設けられているので、新設下枠４２の荷重を支持でき、新設下枠４２の垂れ下がりも防止できる。
また、既設額縁２６上には、既設下枠２２の上面との段差を無くすための調整部材４２６が配置されている。
新設下枠４２の屋外端部は新設外装材３０の位置まで延設されており、新設下枠４２と新設外装材３０との間には、バックアップ材６６および湿式シーリング材６７が充填されている。
【００３２】
新設縦枠４３、４４は、図２に示すように、既設縦枠２３、２４の内周側に配置されている。新設縦枠４３、４４と、既設額縁２６との間にも、板状の調整部材４３５、４４５が配置されている。これにより、新設枠４の左右方向の幅寸法を、既設縦枠２３、２４間の寸法よりも小さくして、調整部材４３５、４４５で調整することで、新設枠４は、幅方向においても既設枠２内に容易に配置できる。
新設縦枠４３、４４の外周面（側面）は、前記調整部材４３５、４４５と、新設断熱材３１とに当接されている。一方、新設外装材３０、胴縁３２は、新設縦枠４３、４４の外周面から離れて配置されている。新設縦枠４３、４４と新設外装材３０との間には、バックアップ材６６および湿式シーリング材６７が充填されている。
【００３３】
［防水構造］
次に、本実施形態における防水構造について、図１〜３に基づいて説明する。本実施形態では、外壁用の防水シート７１と、既設枠２および新設枠４間を空気が流通しないように封鎖する気密防水シート７２と、水切材６０に水を案内する水切用防水シート７５との３種類の防水シートを設けている。
なお、防水シートとしては、水は通過させないが水蒸気などの湿気は通過させる透湿防水シートと、水・水蒸気・空気を通過させない気密防水シート（防湿気密シートや気密シートともいう）とがあり、前記防水シートに求められる機能によって種類が選択される。本実施形態では、新設外装材３０と、新設断熱材３１との間に、胴縁３２を設けて通気層を形成しており、既設外壁１の湿気（水蒸気）を、新設断熱材３１および通気層を介して外部に逃がすことができるように、防水シート７１は透湿防水シートを用いている。また、気密防水シート７２および水切用防水シート７５は、気密防水シートを用いている。
なお、図１，２，４では、各防水シート同士を区別しやすいように、防水シート７１を破線で示し、気密防水シート７２および水切用防水シート７５を太い実線で示している。
また、各防水シート７１，７２，７５は、一般的な防水シートと同様に、可撓性を有しており、既設枠２等に沿って折り曲げることができるように構成されている。
【００３４】
［外壁用の防水シート］
外壁部分において、既設外壁１の裏面側には既設の防水シートなどが設けられている。ただし、この既設の防水シートは劣化している可能性もある。このため、改装時には、新設の防水シート７１を装着して建物の外壁における防水構造を構成している。すなわち、既設外壁１と新設断熱材３１との間には、防水シート７１が接着されている。この防水シート７１によって、新設外装材３０の裏面側に設けられる防水層が構成される。
図１に示すように、既設上枠２１と新設断熱材３１との間に配置される防水シート７１の端部は、後述するように、気密防水シート７２、水切用防水シート７５の屋外側に重なって配置されている。また、既設下枠２２と新設断熱材３１との間に配置される防水シート７１の端部は、気密防水シート７２の屋内側に重なって配置されている。すなわち、上下方向に連続する防水シートの連続部分では、上側の防水シートが下側の防水シートの屋外側に重なり、水が流れ落ちた際に、防水シートの屋外面側を流れるようにしている。
また、図２に示すように、既設縦枠２３、２４と新設断熱材３１との間に配置される防水シート７１の端部は、気密防水シート７２の屋外側に重なって配置されている。これらの各防水シート７１，７２，７５の重なり部分は、両面テープなどで互いに接着されている。
【００３５】
［密閉用の防水シート］
既設枠２と、新設枠４との間には、気密防水シート７２が設けられている。気密防水シート７２は、貫通孔等から浸入しようとする水を高分子吸収体が水を吸って膨潤し、貫通孔をふさぐ機能を備えており、例えば、スリーエムジャパン株式会社製の止水機能付き外壁防水シート2407等が利用できる。
既設枠２および新設枠４間をつなぐ気密防水シート７２は、既設枠２の四周内周面に沿って配置され、既設枠２および新設枠４間において屋内外方向に空気が流通しないように密閉している。
すなわち、気密防水シート７２は、図１、３に示すように、既設上枠２１および新設上枠４１間では、既設上枠２１の屋外面に両面テープなどで貼り付けられ、既設上枠２１および調整部材４１６の内周面（下面）に沿って屋内側に折り込まれている。気密防水シート７２の屋内側端部は、調整部材４１５および取付片４１１の屋内面に沿って折り曲げられ、さらに取付片４１１の内周面に沿って屋外側に折り返され、取付片４１１に両面テープなどで貼り付けられている。
【００３６】
気密防水シート７２は、図１に示すように、既設下枠２２および新設下枠４２間では、既設下枠２２の屋外面に貼られた防水シート７１の屋外面に両面テープなどで貼り付けられ、支持ブラケット２２１、既設下枠２２および調整部材４２６の上面に沿って配置されている。気密防水シート７２の屋内側端部は、取付片４２１の屋外面に沿って折り曲げられ、さらに取付片４２１の内周面に沿って屋外側に折り返され、取付片４２１に両面テープなどで貼り付けられている。
【００３７】
気密防水シート７２は、図２，４に示すように、既設縦枠２３、２４および新設縦枠４３、４４間では、既設縦枠２３、２４の屋外面に両面テープなどで貼り付けられ、既設縦枠２３、２４および既設額縁２６の内面に沿って配置されている。気密防水シート７２の屋内側端部は、調整部材４３５、４４５の屋外面に沿って折り曲げられ、さらに取付片４３１、４４１の内周面まで折り返され、取付片４３１、４４１に両面テープなどで貼り付けられている。
気密防水シート７２の屋内側端縁は、新設枠４の取付片４１１，４２１，４３１，４４１の内周面に沿って配置される新設額縁３６により、屋内側に露出しないように隠されている。
【００３８】
［水切用の防水シート］
図１，３に示すように、既設上枠２１から水切材６０まで、水切用防水シート７５が設けられている。水切用防水シート７５は、気密防水シート７２と同じく気密性を有するシートである。水切用防水シート７５の屋内側端部は、既設上枠２１の屋外面に貼られた気密防水シート７２の表面（屋外面）に両面テープなどで貼られている。なお、新設断熱材３１および既設外壁１間に配置された前記防水シート７１の端部は、既設上枠２１の屋外面と新設断熱材３１との間において、水切用防水シート７５の表面（屋外面）に両面テープなどで貼られている。すなわち、既設上枠２１の屋外面と新設断熱材３１との間には、屋内側から気密防水シート７２、水切用防水シート７５、防水シート７１が積層されている。
【００３９】
水切用防水シート７５の屋外側端部は、水切用防水シート７５の屋内側端部よりも低い位置で、水切材６０の傾斜部６３の表面に両面テープなどで貼られている。このため、水切用防水シート７５は、屋内側端部で防水シート７１に連続して設けられ、この屋内型端部から屋外側端部に向かって、水切用防水シート７５の表面が下り勾配となるように設けられている。
したがって、新設断熱材３１および既設外壁１間に浸入した雨水は、防水シート７１に沿って流れ、水切用防水シート７５から水切材６０の傾斜部６３上に流れ、水抜き部品６８から屋外側に排水される。
【００４０】
［断熱構造］
次に、本実施形態における断熱構造について説明する。
既設外壁１と新設外装材３０との間には、断熱層８０が形成されている。断熱層８０は、主に新設断熱材３１で構成され、新設上枠４１と新設断熱材３１との間は、気密防水シート７２および水切用防水シート７５で区画される空気層８１によって構成されている。
空気層８１は、気密防水シート７２および水切用防水シート７５、水切材６０、新設上枠４１で囲まれた空間であり、空気の対流が生じない小さな容積とされている。このため、空気層８１も断熱層８０として機能する。
また、新設下枠４２、新設縦枠４３、４４には、新設断熱材３１が当接されている。このため、外壁部分には、新設枠４に連続する断熱層８０が、新設断熱材３１および空気層８１によって構成されている。
断熱層８０（新設断熱材３１および空気層８１）は、既設枠２の屋外面を覆っており、既設枠２の屋外側に断熱ラインが構成されているので、新設外装材３０から既設枠２に伝わる熱流量を低減でき、外気温が低い場合でも、アルミ押出形材からなる既設枠２の温度が低下して結露が生じることを抑制できる。
【００４１】
新設窓においては、樹脂製の新設枠４と、樹脂製の框５１，５２，５３，５４と、トリプルガラス４７、５７を用いることで断熱性能を確保している。特に、新設窓において、屋外の空気に触れる面積が最も大きい面材においては、トリプルガラス４７，５７を採用することで断熱性能を高めており、このトリプルガラス４７、５７に沿って屋内外の熱流量を低減させる断熱ラインが構成される。
また、新設枠４および各框５１，５２，５３，５４においても、樹脂製とし、さらに見付け方向に並んだ複数の中空部を備えることで、断熱性能を向上させている。
【００４２】
ここで、新設窓が配置される開口部分において、図４に示すように、トリプルガラス４７、５７の少なくとも１枚のガラスは、新設断熱材３１同士を結ぶ断熱ライン内に配置されている。
ＦＩＸ窓のトリプルガラス４７において、最も屋外側に配置されたガラス４７１は、見込み方向において前記断熱層８０と重なる位置に配置されている。すなわち、トリプルガラス４７の最も屋外側に配置されたガラス４７１は、新設断熱材３１の屋外面の延長線上にある仮想面Ｓ１と、屋内面の延長線上にある仮想面Ｓ２との間に配置されている。
縦すべり出し窓の新設障子５のトリプルガラス５７において、最も屋外側に配置されたガラス５７１と、中間に配置されたガラス５７２とは、見込み方向において前記断熱層８０と重なる位置に配置されている。すなわち、ガラス５７１、５７２は、前記仮想面Ｓ１および仮想面Ｓ２間に配置されている。
したがって、新設窓に設けられた面材であるトリプルガラス４７、５７の少なくとも１枚のガラスは、前記断熱ラインに掛かる（重なる）位置、つまり見込み方向において前記断熱層８０と重なる位置に配置されている。
このため、断熱層８０と、新設枠４と、新設枠４内に配置された新設障子５（框５１〜５４とトリプルガラス５７）およびトリプルガラス４７とで、外壁面に沿って断熱ラインが形成されている。
【００４３】
新設枠４は、既設枠２の内周面を覆うように配置されている。このため、既設枠２の内周面は断熱性能の高い樹脂製（断熱部材製）の新設枠４で覆われる。したがって、既設枠２の屋外面および内周面は、断熱層８０と、この断熱層８０に連続して設けられた新設枠４とで覆われて外気に触れることがないため、新設枠４から既設枠２に伝わる熱流量も低減でき、外気温が低い場合でも、アルミ押出形材からなる既設枠２の温度が低下して結露が生じることを抑制できる。
【００４４】
［改装工法］
次に、本実施形態の外壁改装構造の施工方法について説明する。
まず、既設建具の障子（不図示）を既設枠２から取り外す。また、調整部材４１６、４２６を先付けし、既設上枠２１、既設下枠２２と、既設額縁２６との段差を無くしておく。
そして、既設枠２の屋外面に気密防水シート７２を貼り付けて、建物開口部の周囲において、気密防水シート（気密シート）７２の屋外側端部の貼り付け工程を行う。なお、既設下枠２２部分は、防水シート７１が先に貼り付けられているので、防水シート７１の表面に気密防水シート７２の屋外側端部を貼り付ける。
気密防水シート７２は、帯状（テープ状）に形成されたものが利用でき、このテープ状の気密防水シート７２の長手方向の２辺のうちの一辺（屋外側端部）を、各枠２１，２２，２３，２４の屋外面に沿って粘着テープなどで貼り付ける。例えば、既設上枠２１の左右方向の中央部から気密防水シート７２の貼り付けを開始し、既設上枠２１から既設縦枠２３、既設下枠２２、既設縦枠２４に順次気密防水シート７２を貼り付け、既設上枠２１の貼付開始位置に重なる位置まで気密防水シート７２を貼り付ける。この気密防水シート７２は、後述するように、防水シート７１つまり防水層に連続する防水シートである。
なお、既設枠２のコーナー部で気密防水シート７２の貼付方向を９０度変化させる場合は、気密防水シート７２の外周側に切り込みを入れて方向を変化させればよい。この気密防水シート７２の切り込み部分は、別の防水テープを重ねて貼り付けて塞いでおく。
【００４５】
次に、気密防水シート７２の他の一辺側を、各枠２１，２２，２３，２４の内周面に沿って屋内側に折り込み、気密防水シート（気密シート）７２を建物開口部の内周面に沿って配置する工程を行う。
【００４６】
なお、気密防水シート７２は、テープ状のものに限らず、既設枠２とほぼ同じ大きさの１枚のシートでも構成できる。この場合は、気密防水シート７２の四周縁部を既設枠２の屋外面に貼り付けた後、気密防水シート７２の既設枠２の開口部分に切り込みを入れ、既設枠２に沿って屋内側に折り込む。切り込みは、例えば、既設枠２の開口の四隅、つまり既設上枠２１および既設下枠２２と、既設縦枠２３、２４とが接合されたコーナー部分から、斜め４５度の角度で切り込み、２つのコーナー部からの切り込み線が交差する点同士を結ぶ線で切り込むことで、２つの三角形と、２つの台形の折り込み部分が形成されるように設定すればよい。また、気密防水シート７２の折り込み部分同士の間は、コーナー用のシート材を貼り付けて塞いでおく。
【００４７】
次に、建物開口部内に新設枠４を配置する工程を行う。この際、新設枠４は釘ヒレが無いため、見込み方向の位置調整が可能である。このため、新設外装材３０、胴縁３２、新設断熱材３１の見込み寸法（厚さ寸法）に応じて、新設枠４の見込み方向の取付位置を調整すればよい。例えば、新設枠４の屋外端面が、新設外装材３０の屋外面にほぼ揃う位置に配置する。
【００４８】
次に、気密防水シート７２の屋内側端部を、新設枠４の屋内側の部位である取付片４１１，４２１，４３１，４４１側に折返し、取付片４１１，４２１，４３１，４４１の内周面に防水性を有する両面テープなどを用いて貼り付ける工程を行う。なお、気密防水シート７２の余った部分はカッターなどで切り取ればよい。
【００４９】
次に、新設枠４をネジ１５で躯体１０に取り付ける。ネジ１５は、気密防水シート７２に穴をあけるが、気密防水シート７２は膨潤性を有するため、水が浸入した場合は、気密防水シート７２が水を吸って膨らみ、ネジ１５で形成された穴を塞ぐため、気密防水シート７２から屋内側への水の浸入を防止できる。
【００５０】
次に、既設上枠２１の屋外面に貼られた気密防水シート７２の表面と、新設上枠４１に予め取り付けられた水切材６０の傾斜部６３との間に、水切用防水シート７５を貼り付ける。また、既設外壁１の表面に貼った防水シート７１を水切用防水シート７５の表面に貼り付ける。さらに、水切用防水シート７５が設けられていない既設縦枠２３、２４部分などでは、防水シート７１を気密防水シート７２に貼り付ける。これにより、気密防水シート７２は、防水シート７１で構成される防水層に連続して設けられる。
【００５１】
また、既設外壁１の屋外面に沿って新設断熱材３１を配置し、胴縁３２を介して新設外装材３０を取り付ける。さらに、新設枠４と新設外装材３０との間に、バックアップ材６６および湿式シーリング材６７を充填する。
以上によって、外壁および窓の改装作業が終了する。
【００５２】
なお、新設外装材３０および新設枠４を設置して改装した後に、窓の種類を変更するため、あるいは、窓が破損、劣化したために新設窓を更に交換する場合は、新設外装材３０、新設断熱材３１等を残したまま、新設枠４および新設障子５を取り外して交換することができる。
この場合、新設カバー材３８、新設額縁３６を取り外し、新設枠４および気密防水シート７２の屋内側を露出させる。そして、気密防水シート７２の屋内露出部分をカッターなどで切断し、気密防水シート７２の内周面や、調整部材４１６、４２６、既設額縁２６等に沿って配置されている部分と、取付片４１１，４２１，４３１，４４１に貼られた部分とを分離する。
また、湿式シーリング材６７、バックアップ材６６も適宜除去しておく。さらに、新設上枠４１と新設断熱材３１との間では、水切用防水シート７５を切断して水切材６０から分離する。そして、新設枠４を躯体１０に固定しているネジ１５を外し、新設枠４を建物開口部から屋外側に取り外す。
その後、建物開口部に残っている気密防水シート７２や水切用防水シート７５に新たな気密防水シートを連結し、新たな新設窓を屋外側から吊り込む。
そして、新設枠４の屋内側では、気密防水シート７２に連結した気密防水シートを取付片４１１，４２１，４３１，４４１の内周面に折り返して貼り付け、新設枠４をネジ１５で躯体１０に取り付け、新設額縁３６や新設カバー材３８を新たに設けて仕上げる。また、新設枠４の屋外側では、水切用防水シート７５に連結した気密防水シートを、新設枠４の水切材６０の傾斜部６３に貼り付け、新設外装材３０との隙間部分にバックアップ材６６、湿式シーリング材６７を充填して仕上げる。
以上の作業によって、新設窓の交換作業を行うことができる。
【００５３】
［第１実施形態の作用効果］
このような第１実施形態によれば、次のような効果がある。
（１）既設外壁１の屋外側に新設外装材３０を配置し、新設外装材３０および既設外壁１間に新設断熱材３１を設けたので、外壁部分の断熱性能を向上できる。また、既設枠２の開口内周側に配置された新設枠４を樹脂製としているので、新設枠４自体の断熱性能も向上できる。
さらに、既設枠２を、新設断熱材３１や空気層８１で構成される断熱層８０と、新設枠４とで被覆し、既設枠２が屋外に露出しないように覆っているので、既設枠２を介した熱流出を低減できる。
したがって、断熱層８０による外壁部分の熱流量の低減と、新設窓による壁開口部分の熱流量の低減とに加えて、壁と窓との連結部分の熱流量も低減でき、外壁全体の断熱性能を向上できる。このため、既設枠２や躯体１０側の温度低下を抑制でき、結露発生も防止できる。
【００５４】
（２）新設枠４内に配置される新設障子５と、嵌め殺し窓の面材を、トリプルガラス４７、５７で構成しているので、面材部分の断熱性能を向上できる。さらに、新設障子５では、各框５１，５２，５３，５４を樹脂製としているので、框自体の断熱性能も向上でき、既設枠２内に配置される新設窓全体の断熱性能を向上できる。
【００５５】
（３）トリプルガラス４７，５７のうち、少なくとも１枚のガラス４７１，５７１，５７２を、見込み方向において断熱層８０に重なる位置に配置したので、断熱層８０で構成される断熱ラインの延長線上に、トリプルガラス４７，５７によって構成される面材の断熱ラインを配置できる。このため、新設断熱材３１、空気層８１を有する断熱層８０から新設枠４、新設障子５等に形成される断熱ラインを外壁面とほぼ平行に配置できる。
したがって、断熱ラインが外壁面に対して斜めに設定された場合に比べて、既設枠２を介した熱流量を低減でき、既設枠２の周囲の結露の発生も抑制できる。
【００５６】
（４）新設枠４の屋外側端部を、新設外装材３０の屋外面よりも屋外側に位置しているので、新設枠４と新設外装材３０とを対向させて配置でき、これらの間にバックアップ材６６、湿式シーリング材６７を充填してシールすることができる。このため、新設枠４を、新設外装材３０の見切り材として利用でき、一般的な納まり構造にできる。
また、新設外装材３０が設けられていない場合は、新設枠４と既設枠２とを繋ぐジョイント部材を設けて、新設枠４および既設枠２間の隙間を塞ぐ必要があるが、本実施形態では新設枠４および新設外装材３０間で通常のシール処理を行うことができ、新設枠４および既設枠２間を繋ぐジョイント部材は不要なため、納まりを簡略化できる。
【００５７】
（５）新設外装材３０の屋外面から既設枠２の屋内端部までの見込み寸法Ｌ１を、新設外装材３０の屋外面から新設枠４の屋内端部までの見込み寸法Ｌ２よりも小さくしたので、既設枠２の内周面の全体を新設枠４で覆うことができ、断熱性能および意匠性を向上できる。
【００５８】
（６）新設枠４の外周面を見込み方向に沿った平面で形成したので、新設外装材３０や新設断熱材３１の厚さ寸法に応じて、新設枠４の屋内外方向の位置を自由に設定できる。したがって、新設外装材３０等の厚さ寸法が異なる場合でも、同一種類の新設枠４を用いることができ、新設枠４の種類を少なくできる。
また、新設枠４の屋内側端部から屋内方向に向かって突出された取付片４１１，４２１，４３１，４４１から躯体１０にネジ１５をねじ込んで新設枠４を固定しているので、開口内周側から新設枠４の取付作業を行うことができ、改装作業を容易に行うことができる。
【００５９】
（７）水切材６０は、新設上枠４１に取り付けられており、従来のように外壁下地材、胴縁、躯体等に取り付けられていないため、金属製の水切材６０と躯体１０側とが直接接触することがなく、水切材６０を介しての熱流量を低減でき、この点でも断熱性能を向上できる。特に、水切材６０の屋内側は、密閉された空気層８１で構成した断熱層８０であり、水切用防水シート７５も断熱性を有するため、水切材６０から既設上枠２１等への熱橋となる部材が設けられておらず、水切材６０から既設上枠２１への熱流量を低減できる。
【００６０】
（８）水切材を外壁側に取り付けた場合には、新設外装材３０等の厚さ寸法に応じて複数種類の水切材を用意する必要があるが、本実施形態では、水切材６０は、新設上枠４１に取り付けられているので、新設上枠４１の屋外面を基準にして取り付けることができる。このため、新設外装材３０等の厚さ寸法が変わっても、水切材６０の種類は一種類にすることができる。
さらに、防水シート７１と水切材６０とは水切用防水シート７５で繋いでいるので、新設外装材３０の厚さ寸法が変化して、防水シート７１と水切材６０との間隔が変化しても、水切用防水シート７５の長さ寸法等で容易に調整できる。
【００６１】
（９）既設枠２と新設枠４との間を塞ぐ気密防水シート７２を、新設枠４の屋内側の取付片４１１、４２１、４３１、４４１に貼り付けているので、新設枠４の取り付け後に、新設枠４の交換が必要となった場合でも、気密防水シート７２の屋内側に露出する部分を切断することで、気密防水シート７２と新設枠４とを切り離して新設枠４を容易に取り外すことができる。また、建物開口部に残っている気密防水シート７２に新たな気密防水シートを連結し、新たに設置した新設枠４の屋内側に貼り付けることで、交換後の新設枠４との防水処理も容易に行うことができる。
【００６２】
［第２実施形態］
次に、本発明の第２実施形態を図５〜７に基づいて説明する。なお、第２実施形態は、防水構造における防水シートの配置のみが第１実施形態と異なり、その他の構成は第１実施形態と同一であるため、図面に同一符号を付し説明を省略する。
【００６３】
第１実施形態は、新設断熱材３１よりも屋内側に配置した防水シート７１により、新設断熱材３１の屋内側に防水ラインを構成している。
これに対し、第２実施形態では、新設断熱材３１の屋外側に防水シート７３を配置し、新設断熱材３１の屋外側に防水ラインを構成したものである。第２実施形態の防水シート７３は、透湿防水シートで構成されている。
防水シート７３は、新設上枠４１の部分では、水切材６０の傾斜部６３に貼り付けられている。したがって、防水シート７３の下端部側は、水切用防水シート７５としても用いられる。
防水シート７３は、新設下枠４２、新設縦枠４３、４４の部分では、新設断熱材３１の端縁から新設下枠４２、新設縦枠４３、４４に沿って屋外側に折り曲げられており、両面テープなどで新設下枠４２、新設縦枠４３、４４に貼られている。
これにより、新設外装材３０の裏面側に浸入した水は、防水シート７３に沿って水切材６０の傾斜部６３に案内され、水抜き部品６８を介して屋外側に排出される。
【００６４】
また、図５〜７に示すように、既設枠２と、水切材６０の固定部６１や新設下枠４２、新設縦枠４３、４４との間には、気密防水シートで構成された防水シート７４が貼り付けられている。すなわち、新設上枠４１部分では、防水シート７４は既設上枠２１の屋外面に両面テープなどで貼り付けられ、防水シート７４の屋外側端部は水切材６０の固定部６１に両面テープなどで貼り付けられている。
新設下枠４２部分では、防水シート７４は既設下枠２２の屋外面に貼り付けられ、新設下枠４２の下面において屋外側に折り曲げられて新設下枠４２に貼り付けられている。
新設縦枠４３、４４部分では、防水シート７４は既設縦枠２３、２４の屋外面に貼り付けられ、新設縦枠４３、４４の外周面において屋外側に折り曲げられて新設縦枠４３、４４に貼り付けられている。
これにより、新設上枠４１部分には、防水シート７３、７４と、新設断熱材３１と、水切材６０とで囲まれた密閉空間（空気層８２）が形成される。第２実施形態では、この空気層８２と新設断熱材３１とで断熱層８０が形成されている。なお、図５〜７では、防水シート７３、防水シート７４を太い実線で示している。
【００６５】
［第２実施形態の作用効果］
第２実施形態では、前記第１実施形態と同様の作用効果を奏することができる。
また、防水シート７３を新設断熱材３１の屋外側に配置し、防水シート７３の開口側端縁を、水切材６０や新設下枠４２、新設縦枠４３、４４に貼り付けているので、新設断熱材３１への雨水の浸入を防止でき、胴縁３２が設けられた通気層を介して雨水を排水できる。
【００６６】
新設枠４や水切材６０と、既設枠２との間に防水シート７４を設け、断熱層８０として利用される空気層８２を形成しているので、第１実施形態と同様に断熱性能を向上できる。
【００６７】
防水シート７３で防水ラインを形成したので、第１実施形態における気密防水シート７２を不要にできる。このため、防水シート７３、７４の貼り付け作業が容易となり、防水処理や改装作業を容易に行うことができる。
【００６８】
［変形例］
なお、本発明は以上の実施形態で説明した構成のものに限定されず、本発明の目的を達成できる範囲での変形例は、本発明に含まれる。
【００６９】
［第１変形例］
例えば、図８に示すように、新設断熱材３１を新設上枠４１に当接する位置まで延長して断熱層８０を形成してもよい。すなわち、新設断熱材３１には、水切材６０の固定部６１が配置可能な凹部３１１が形成され、新設断熱材３１の下面を新設上枠４１の上面に当接させている。
第１変形例では、第１実施形態と同じく、既設枠２と新設枠４との間に、気密防水シート７２を配置している。また、図８の変形例では、第２実施形態と同様に、新設断熱材３１の屋外側に防水シート７３を配置して気密水密ラインを設定しており、新設断熱材３１が新設上枠４１まで連続している。このため、第２実施形態で説明した空気層８２を形成するための防水シート７４は設ける必要が無い。
【００７０】
［第２変形例］
新設外装材３０の裏面側に浸入した水を排水する構成としては、水切材６０を用いたものに限定されず、図９に示すように、新設断熱材３１の屋外面から新設枠４まで防水シート７３を貼り、この防水シート７３の表面（屋外面）に樋状の排水用部材９０を取り付け、この排水用部材９０で、新設外装材３０および新設断熱材３１間に浸入した水を受けるように構成してもよい。なお、防水シート７３および排水用部材９０に跨がって防水テープ９６が貼られており、防水シート７３を流れ落ちた雨水が防水テープ９６を介して排水用部材９０に確実に流れるように構成されている。
排水用部材９０で受けた水は、例えば、新設縦枠４３、４４の外周側に排水通路を形成し、排水用部材９０の長手方向の両端から前記排水通路を介して屋外に排水するように構成すればよい。
【００７１】
［その他の変形例］
新設枠４は、樹脂製に限定されず、木製でもよく、アルミ等の金属材料に比べて断熱性能が高い断熱部材で構成されたものであればよい。
また、新設枠４は、全体が樹脂製や木製等の断熱部材で構成されたものに限定されず、アルミ等の非断熱部材と、樹脂等の断熱部材とを組み合わせた複合枠で構成してもよい。例えば、前記新設枠４の取付片４１１，４２１，４３１，４４１部分をアルミ等の金属材に置き換えた複合枠を用いてもよい。
要するに、新設枠としては、少なくとも断熱層８０に連続する部分から既設枠２の内周面を覆う部分までを断熱部材で構成して、断熱層８０と新設枠４の断熱部材とで既設枠２が屋外側に露出しないように覆うことができればよい。したがって、新設枠４において、既設枠２よりも屋内側のネジ１５で固定される取付片部分や、断熱ラインよりも屋外側に配置される外壁見切り部分は、非断熱部材で構成することもできる。
同様に、新設障子５の新設框も、樹脂製に限定されず、木製でもよいし、アルミ等の非断熱部材と、樹脂等の断熱部材とを組み合わせた複合框で構成してもよい。この場合、新設框の見込み方向において断熱層８０と重なる部分を断熱部材とし、断熱層８０や新設枠４の断熱部材、面材、新設框の断熱部材が連続して断熱ラインを形成するように構成すればよい。
【００７２】
前記実施形態では、新設枠４の外周面を平面としていたが、釘ヒレが突設された構造としてもよい。この場合、既設枠２に釘ヒレを当接させて位置決めできる場合は、釘ヒレを残したままで新設枠４を取り付けることができるが、釘ヒレによって位置決めできない場合は、施工現場で釘ヒレを切断する必要がある。したがって、前記各実施形態のように、新設枠４の外周面を平面としたほうが、施工作業が容易になる利点がある。
【００７３】
新設外装材３０の屋外面から新設枠４の屋内側端部までの長さ寸法Ｌ２を、新設外装材３０の屋外面から既設枠２の屋内側端部までの長さ寸法Ｌ１よりも小さく設定してもよい。この場合、既設枠２の屋内端部は新設枠４で覆うことができないため、新設額縁３６等で覆えば良い。
【００７４】
新設窓の面材としては、トリプルガラス４７、５７に限定されず、複層ガラス（二重ガラス）でもよく、一般的な単板ガラスに比べて断熱性能の高いものであればよい。
また、新設窓の面材は、少なくとも１枚のガラスの見込み方向の位置が、仮想面Ｓ１および仮想面Ｓ２間に配置されたものに限定されない。ただし、新設窓において面材によって形成される断熱ラインと、外壁において新設断熱材３１等で構成される断熱層８０の断熱ラインとは、見込み方向の位置がほぼ同じとされ、外壁表面に対して断熱ラインがほぼ平行となるようにすることが断熱性能を向上できる点で好ましい。
【００７５】
新設窓としては、前述した縦すべり出し窓とＦＩＸ窓との連窓に限定されず、引違い窓、片上げ下げ窓、ＦＩＸ窓、縦すべり出し窓、すべり出し窓等の単窓や、これらを組み合わせた連窓、段窓などでもよい。すなわち、新設窓は、新設枠４も改装するため、様々な種類の窓を適用できる。
【符号の説明】
【００７６】
１…既設外壁、２…既設枠、３…新設外壁、４…新設枠、５…新設障子、１０…躯体、１５…ネジ、２１…既設上枠、２２…既設下枠、２３、２４…既設縦枠、３０…新設外装材、３１…新設断熱材、３２…胴縁、４１…新設上枠、４２…新設下枠、４３、４４…新設縦枠、４７、５７…面材であるトリプルガラス、５１…上框、５２…下框、５３、５４…縦框、６０…水切材、７１…防水シート、７２…気密防水シート、７３…防水シート、７４…防水シート、７５…水切用防水シート、８０…断熱層、８１、８２…空気層、４７１、５７１、５７２…ガラス。
【図１】
2018031183.tif 000003
【図２】
2018031183.tif 000004
【図３】
2018031183.tif 000005
【図４】
2018031183.tif 000006
【図５】
2018031183.tif 000007
【図６】
2018031183.tif 000008
【図７】
2018031183.tif 000009
【図８】
2018031183.tif 000010
【図９】
2018031183.tif 000011